(57)【要約】      （修正有）【課題】災害時等や屋外等において、食材を、炊く、煮る、焼く、および、消毒が必要なものを煮沸消毒したり、寒いときに暖をとったり、明かりとして使用ができる調理器具や燃焼器具になる鞄を提供する。【解決手段】クッカー１と焚き火台の、開口部を完全密閉で組み合わせて、ワイヤークッカー、プレートクッカー、クッカーカバー）、スモーカーを適所に配置し、本体に、多目的バー１７、ショルダーベルト、持ち手ベルト、換気口、換気口カバー、焚き火台カバーを具備している。【選択図】図１
2014046185.tif 000002
【特許請求の範囲】
【請求項１】
クッカー（１）と焚き火台（７）の、開口部を完全密閉で組み合わせて、ワイヤークッカー（１９）、プレートクッカー（２０）、クッカーカバー（１８）、スモーカー（２１）を適所に配置し、本体に、多目的バー（１７）、ショルダーベルト（２２）、持ち手ベルト（２３）、換気口（９）、換気口カバー（１０）、焚き火台カバー（１２）を具備している、調理器具や燃焼器具になる鞄。
【請求項２】
請求項１に記載の調理器具や燃焼器具になる鞄において、本体が耐熱性であることを特徴とする調理器具や燃焼器具になる鞄。
【請求項３】
請求項１に記載の調理器具や燃焼器具になる鞄において、多目的バーを用いて、シートや、ペグを使用してテントになる調理器具や燃焼器具になる鞄。
【発明の詳細な説明】
【技術分野】
【０００１】  本発明は、災害時等や屋外等において、食材を、炊く、煮る、焼く、および、消毒が必要なものを煮沸消毒したり、寒いときに暖をとったり、明かりとして使用ができる調理器具や燃焼器具になる鞄に関するものである。
【背景技術】
【０００２】  従来、非常用の鞄は、それぞれの目的に応じた各種のものがあり、リュックサックや、キャリー付の鞄や収納ボックスが広く知られていて、災害時等のために最低限必要なものを用意して、保管、運搬を目的としたものである。
屋外等で使用する調理器具は、ダッチオーブン、ハンゴウ、クッカー、スモーカー、アウトドア用のコンロ、ストーブ、焚き火台がある。
また、屋外でも使用できる携行型燃焼器具も目的に応じた各種のものがある。
【先行技術文献】
【特許文献】
【０００３】
【特許文献１】  実願平７−４７２３号公報
【特許文献２】  特開平７−３０３５６８号公報
【発明の概要】
【発明が解決しようとする課題】
【０００４】  運搬や、保管以外では使用できない非常用の鞄で十分に準備できたと思ってしまい、災害時等では、電気、ガス、調理器具、燃焼器具等は、調達が困難であり、冷めた食事をすることになったり、不衛生になりがちで雨や、風が吹きさらしで、寒く、暗い避難生活になってしまう。
屋外等では、コンパクトに折りたためたり、収納できる調理器具や、燃焼器具や、材料や、燃料等を準備しても、それぞれが、形状や大きさが違うため場所をとってしまい、一度に運搬できない。
屋外等では、予期しない怪我や病気等で動けなくなる。
本発明は、以上の問題点を解決するためになされたものである。
【課題を解決するための手段】
【０００５】  本発明は、上記した目的を達成するためのものであり、以下にその内容を図面に示し実施例を用いて説明する。
それぞれの、形態、配置は図を参照。
形状を問わず燃えない素材で形成し、本体の上面の適所に、クッカーカバー（１８）を設ける（図１１）。
クッカーカバー（１８）上面適所に、持ち手（３）を設ける（図１１）。
クッカーカバー（１８）の内側に、ワイヤークッカー（１９）を設ける。
ワイヤークッカー（１９）の側面の適所に、持ち手を設ける。
クッカーカバー（１８）の内側に、プレートクッカー（２０）を設ける。
プレートクッカー（２０）の側面の適所に、持ち手設ける。
ワイヤークッカー（１９）とプレートクッカー（２０）は、クッカーカバー（１８）に収納する。
本体の上部に、クッカー（１）を設ける（図１）。
クッカー（１）の内側に、内蓋を設ける。
クッカー（１）上部に、クッカー開口部（２）を設ける（図１１）。
クッカー開口部（２）側面の適所に、注ぎ口を設ける。
クッカー開口部（２）側面の適所に、本体下部とロックするロック装置（１６）のパッチン錠パーツＡ（１６ａ）を複数設ける（図１１）。
クッカー（１）の側面２／３から下に、取り外しが出来る持ち手バンド（４）を設ける（図１）。
持ち手バンド（４）側面の適所に、持ち手（３）を設ける（図１１）。
クッカー（１）の下から１／３に、クッカーボトム（５）を設ける（図１１）。
クッカーボトム（５）側面に、ショルダーベルト（２２）をとめる取り外しが出来るパーツバンドＡ（２４ａ）を設ける（図１）。
パーツバンドＡ（２４ａ）側面の適所に、ショルダーベルト（２２）をとめるパーツＡ（２５）を複数設ける（図１）。
パーツバンドＡ（２４ａ）の先に、長さを調整したり、閉める、ゆるめるための装置を設ける。
クッカーボトム（５）側面に、多目的バー（１７）をとめる取り外しが出来るパーツバンドＢ（２４ｂ）を設ける（図１１）。
パーツバンドＢ（２４ｂ）側面の適所に、多目的バー（１７）をとめるパーツＣ（２６ｂ）を設ける（図１）。
パーツバンドＢ（２４ｂ）の先に、長さを調整したり、閉める、ゆるめるための装置を設ける。
クッカーボトム（５）底に、凸部（６）を設ける（図１１）。
クッカー（１）の内側に、容量を示す印を設ける。
本体の下部に、焚き火台（７）を設ける（図１１）。
焚き火台（７）の内側に、内蓋を設ける。
焚き火台（７）上部に、焚き火台開口部１（８）を設ける（図１１）。
焚き火台開口部１（８）の側面に、本体上部のクッカー（１）とロックするロック装置（１６）のパッチン錠パーツＢ（１６ｂ）を複数設ける（図１１）。
焚き火台（７）側面の上部と下部に、換気口（９）を複数設ける（図２）。
換気口（７）に蓋をする換気口カバー（１０）を設ける（図２）。
換気口カバー（１０）は、換気口（７）を完全密封する構造である。
焚き火台（７）側面２／３に、持ち手（３）を設ける（図１１）。
焚き火台（７）側面に、焚き火台開口部２（１１）を設ける（図１１）。
焚き火台（７）側面に、焚き火台開口部２（１１）に蓋をする焚き火台カバー（１２）を設ける（図１１）。
焚き火台（７）側面に、焚き火台（７）と、焚き火台カバー（１２）をとめるヒンジ（１３）を設ける（図１１）。
焚き火台カバー（１２）上面の適所に、ロック装置（１６）を設ける（図１１）。
焚き火台カバー（１２）上面の適所に、本体とロックするためのパッチン錠パーツＡ（１６ａ）を設ける。
焚き火台（７）側面の適所に、焚き火台カバー（１２）とロックするためのパッチン錠パーツＢ（１６ｂ）を設ける。
焚き火台（７）側面の中央２箇所に、持ち手ベルト（２３）をとめるパーツＡ（２５）を設ける（図６）。
焚き火台（７）下部に、取り外しが出来るショルダーベルト（２２）とめるパーツバンドＡ（２４ａ）を設ける（図１）。
焚き火台（７）下部に、焚き火台ボトム（１４）を設ける（図１）。
焚き火台ボトム（１４）側面に、取り外しが出来る多目的バー（１７）をとめるパーツバンドＢ（２４ｂ）を設ける（図１）。
パーツバンドＢ（２４ｂ）側面に、多目的バー（１７）とめるパーツＣ（２６ｂ）を設ける（図１）。
焚き火台ボトム（１４）底に、本体をかさねた際にずれないように、凹部（１５）を設ける（図１）。
クッカー（１）上部と、焚き火台（７）上部にロック装置（１６）を設ける。
ロック装置（１６）に、パッチン錠パーツＡ（１６ａ）と、パッチン錠パーツＢ（１６ｂ）を設ける。
クッカー（１）と、焚き火台（７）を組み合わせた本体側面に、多目的バー（１７）を設ける（図１）。
多目的バー（１７）の上部に、凸部（１７ａ）を設ける（図１１）。
凸部（１７ａ）側面に、凹部（１７ｂ）と接続の際に取れないようにする溝を設ける。
多目的バー（１７）下部に、凹部（１７ｂ）をを設ける（図１１）。
凹部（１７ａ）の内側に、凸部（１７ｂ）と接続の際に取れないようにする溝を設ける。
焚き火台（７）の内側に、スモーカー（２１）を設ける（図１１）。
スモーカー（２１）の側面に、持ち手（３）を設ける（図１１）。
スモーカー（２１）の側面に、ロック装置（１６）を設ける（図１１）。
クッカー（１）と、焚き火台（７）を組み合わせた本体に、ショルダーベルト（２２）を設ける（図１１）。
ショルダーベルト（２２）の適所に、長さを調整するためのパーツＢ（２６ａ）を設ける（図１１）。
ショルダーベルト（２２）の先に、本体にとめるナスカン（２７）を設ける（図１１）。
クッカー（１）と、焚き火台（７）を組み合わせた本体に、持ち手ベルト（２３）を設ける（図１１）。
持ち手ベルト（２３）適所に、長さを調整するパーツＢ（２６ａ）を設ける。
持ち手ベルト（２３）の先に、本体にとめるためのナスカン（２７）を設ける。
クッカー（１）と、焚き火台（７）を組み合わせた本体に、キャリーカート（２８）を設ける（図１１）。
キャリーカート（２８）適所に、本体を固定するためのロック装置を設ける。
本体内側に収納できるゴトクを設ける。
本体内側に収納できる燃料になるメモ帳や、ノートや、筆記用具を設ける。
本体内側に収納できる調理用品を設ける。
本体内側に収納できる調理材料を設ける。
本体内側に収納できる食器を設ける。
本体内側に収納できる燃料を設ける。
本体内側に収納できる着火材を設ける。
本体内側に収納できる着火装置を設ける。
本体内側に収納できる火力調整装置を設ける。
本体内側に収納できる消化剤を設ける。
本体内側に収納できる消化装置を設ける。
本体内側に収納できる燃料になるシートを設ける。
本体内側に収納できる燃料になるロープを設ける。
本体内側に収納できるペグを設ける。
本体内側に収納できる燃料になる取扱説明書を設ける。
以上の構成による調理器具や燃焼器具になる鞄。
【発明の効果】
【０００６】  運搬や、保管以外での使用ができる鞄。
災害時等では、調理器具、燃焼器具等にかわり調理や、煮沸消毒や、暖を取ったり、明りになる（図９）。
多目的バー（１７）と、シートと、ペグと、ロープを組み合わせてテントにする。
多目的バー（１７）と、シートと、ロープを組み合わせて担架にする。
クッカー（１）や焚き火台（７）を組み合わせて鞄にするため、場所をとらずに１度に運搬できる（図１）。
【図面の簡単な説明】
【０００７】
【図１】  本発明の斜視図
【図２】  本発明の断面図
【図３】  本発明の側面図
【図４】  本発明の上面図
【図５】  本発明のショルダーバック使用状態を示した斜視図
【図６】  本発明の手提げ使用状態を示した斜視図
【図７】  本発明のリュックサック使用状態を示した斜視図
【図８】  本発明のキャリーバック使用状態を示した斜視図
【図９】  本発明のクッカー使用状態を示した斜視図
【図１０】  本発明のクッカー使用状態を示した断面図
【図１１】  本発明のパーツの構成を示した説明図
【発明を実施するための形態】
【０００８】  以下、本発明の実施の一形態を添付図面を参照しながら説明する。
【実施例】
【０００９】  図１−図２によって詳記すると当該鞄はクッカー（１）と焚き火台（７）の、開口部を組み合わせロック装置（１６）でとめて本体とし、本体上面にワイヤークッカー（１９）、プレートクッカー（２０）を収納したクッカーカバー（１８）を配置し、本体内部にスモーカー（２１）を収納する。
本体側面に、多目的バー（１７）、ショルダーベルト（２２）、持ち手ベルト（２３）、換気口（９）、換気口カバー（１０）、焚き火台カバー（１２）を具備している。【００１０】  図５によって詳記すると、ショルダーベルト（１２）に設けたパーツＢ（２６ａ）により適切な長さに調整し、パーツバンドＡ（２４ａ）に設けたパーツＡ（２５）、または、本体に直接設けたパーツＡ（２５）に、ショルダーベルト（１２）に設けたナスカン（２７）やなどの、留め具を用いてショルダーバックとして使用する。【００１１】  図６によって詳記すると、持ち手バンド（２３）に設けたパーツＢ（２６ａ）により適切な長さに調整し、パーツバンドＡ（２４ａ）に設けたパーツＡ（２５）または、本体に直接設けたパーツＡ（２５）に、持ち手バンド（２３）に設けたナスカン（２７）やなどの、留め具を用いて手提げ鞄として使用する。【００１２】  図７によって詳記すると、ショルダーベルト（１２）に設けたパーツＢ（２６ａ）により適切な長さに調整し、パーツバンドＡ（２４ａ）に設けたパーツＡ（２５）または、本体に直接設けたパーツＡ（２５）に、ショルダーベルト（１２）に設けたナスカン（２７）などの、留め具を用いてリュックサックとして使用する。【００１３】  図８によって詳記すると、キャリーカート（２８）に設けた本体を固定するためのロック装置や紐等を使用して、キャリーカートに乗せてキャリーバックとして使用する。
キャリーカートは、市販されたものや、手持ちのキャリーカートでもよい。【００１４】  図９−図１０によって詳記するとクッカー（１）は、クッカー（１）に設けたクッカーボトム（５）の凸部（６）を、焚き火台（７）に設けた焚き火台開口部１（８）の上に置き使用する。
クッカー（１）を移動させる際は、持ち手バンド（４）に設けた持ち手（３）または、クッカー（１）に、直接取り付けた持ち手（３）を使用する。【００１５】  図９−図１０によって詳記すると焚き火台（７）は、焚き火台（７）に設けた焚き火台ボトム（１４）を下にして、焚き火台開口部１（８）や焚き火台（７）に設けた焚き火台開口部２（１１）から燃料を内部に入れ燃焼させて使用する。
焚き火台（７）に設けた換気口（９）から、焚き火台（７）に設けた換気口カバー（１０）をはずして、空気を取り入れたり煙を出して火力の調整をする。
焚き火台（７）を移動させる際は、持ち手バンド（４）に設けた持ち手（３）または、焚き火台（７）に、直接取り付けた持ち手（３）を使用する。【００１６】  図９−図１０−図１１によって詳記するとワイヤークッカー（１９）は、クッカー（１）の換わりに焚き火台（７）に設けた焚き火台開口部１（８）の上に置き使用する。
ワイヤークッカー（１９）を移動させる際は、持ち手バンド（４）を側面に取り  付け持ち手（３）または、ワイヤークッカー（１９）に、直接取り付けた持ち手（３）を使用する。【００１７】  図９−図１０−図１１によって詳記するとプレートクッカー（２０）は、クッカー（１）の換わりに焚き火台（７）に設けた焚き火台開口部１（８）の上に置き使用する。
プレートクッカー（２０）を移動させる際は、持ち手バンド（４）を側面に取り付け持ち手（３）または、プレートクッカー（２０）に、直接取り付けた持ち手（３）を使用する。【００１８】  図９−図１０−図１１によって詳記するとスモーカー（２１）は、クッカー（１）の換わりに焚き火台（７）に設けた焚き火台開口部１（８）にワイヤークッカー（１  ９）をのせた上に置き使用する。
スモーカー（２１）を移動させる際は、直接取り付けた持ち手（３）を使用する。【００１９】  図９−図１０−図１１によって詳記するとクッカーカバー（１８）は、クッカー（１）に設けたクッカー開口部（２）や、ワイヤークッカー（１９）や、プレートクッカー（２０）や、スモーカー（２１）や、焚き火台開口部１（８）の上に乗せて使用する。
クッカーカバー（１８）を移動させる際は、直接取り付けた持ち手（３）を使用する。【００２０】  図１１によって詳記すると多目的バー（１７）は、本体にパーツＢ（２６ａ）と、パーツＣ（２６ｂ）を設けたパーツバンドＢ（２４ｂ）により固定する。
多目的バー（１７）に設けた凸部（１７ａ）と、凹部（１７ｂ）を組み合わせることにより長さや数を調整する。
多目的バー（１７）に設けた凸部（１７ａ）と、凹部（１７ｂ）に、溝を設けて接続の際に取れないようにする。
多目的バー（１７）は、２重構造で自体が伸縮して長さの調整をする。
多目的バー（１７）と、シートと、ペグと、ロープを組み合わせてテントとして使用する。
多目的バー（１７）と、シートを組み合わせて担架として使用する。
【産業上の利用可能性】
【００２２】  本発明は、災害時や、アウトドア等屋外生活に備え、例えば、ミニカセットコンロ（または携帯バーナー）や、カセット燃料（バーナー燃料）や、鍋・ドンブリ・割り箸・皿・まな板・包丁・シャモジ・スプーン・フォーク・お玉・調味料ミニラップ等や、メモ帳・筆記用具等の文房具、雨風を防ぐためのテント、怪我や病気で動けなくなったときのための担架を保管するのに用いられる調理器具や燃焼器具になる鞄に関するものである。
【符号の説明】
【００２３】１      クッカー
２      クッカー開口部
３      持ち手
４      持ち手バンド
５      クッカーボトム
６      凸部
７      焚き火台
８      焚き火台開口部１
９      換気口
１０    換気口カバー
１１    焚き火台開口部２
１２    焚き火台カバー
１３    ヒンジ
１４    焚き火台ボトム
１５    凹部
１６    ロック装置
１６ａ  パッチン錠パーツＡ
１６ｂ  パッチン錠パーツＢ
１７    多目的バー
１７ａ  凸部
１７ｂ  凹部
１８    クッカーカバー
１９    ワイヤークッカー
２０    プレートクッカー
２１    スモーカー
２２    ショルダーベルト
２３    持ち手ベルト
２４ａ  パーツバンドＡ
２４ｂ  パーツバンドＢ
２５    パーツＡ
２６ａ  パーツＢ
２６ｂ  パーツＣ
２７    ナスカン
２８    キャリーカート
【図１】
2014046185.tif 000003
【図２】
2014046185.tif 000004
【図３】
2014046185.tif 000005
【図４】
2014046185.tif 000006
【図５】
2014046185.tif 000007
【図６】
2014046185.tif 000008
【図７】
2014046185.tif 000009
【図８】
2014046185.tif 000010
【図９】
2014046185.tif 000011
【図１０】
2014046185.tif 000012
【図１１】
2014046185.tif 000013